【手続補正書】
【提出日】平成16年8月17日(2004.8.17)
【手続補正１】
【補正対象書類名】明細書
【補正対象項目名】特許請求の範囲
【補正方法】変更
【補正の内容】
【特許請求の範囲】
【請求項１】
画像を合成する装置であって、顔の部分を合成に用いるために用意した顔画像と、服装部分を合成に用いるために用意した服装画像と、背景とするために用意した背景画像と、前記顔画像と前記服装画像と前記背景画像とを合成するための条件となる合成情報とを入力とし、前記合成情報にしたがって、前記顔画像と前記服装画像と前記背景画像とを変換する画像変換部と、前記画像変換部によって変換された顔画像と服装画像と背景画像とを、前記合成情報にしたがって合成する画像合成部を備えた画像合成装置。
【請求項２】
合成情報として、顔画像、服装画像、背景画像、合成した画像のそれぞれに対して基準となる２点を含み、画像変換部において、肖像画像の基準となる２点に、顔画像、服装画像、背景画像の基準となる２点が一致するように、顔画像、服装画像、背景画像を変換することを特徴とする請求項１記載の画像合成装置。
【請求項３】
合成情報として、服装画像に色変換の基準色を含み、前記画像変換部において、前記服装画像の合成に使う領域の全画素に対して前記色変換の基準色に基づいた色変換を行うことを特徴とする請求項１又は２記載の画像合成装置。
【請求項４】
合成情報として、顔画像と服装画像と背景画像の大きさ、前記各画像の合成に用いる領域の位置、前記各画像の合成に用いる領域ごとの基準となる色を指定し、画像変換部は、前記各画像の大きさ、色を変換し、画像合成部は、前記合成情報によって指定された位置にしたがって画像を合成することを特徴とする請求項１又は２記載の画像合成装置。
【請求項５】
画像変換部において、合成に使う領域の全画素のＲＧＢの各成分の平均値が、色変換の基準色となるように色変換を行うことを特徴とする請求項３記載の画像合成装置。
【請求項６】
画像変換部において、合成に使う領域の各画素の色相を色変換の基準色とし、前記合成に使う領域の全画素の明度、彩度の平均が、前記色変換の基準色の明度、彩度となるように色変換を行うことを特徴とする請求項３記載の画像合成装置。
【請求項７】
服装画像は手又は足と服装とを含み、前記手又は足の色は、前記顔画像の色情報に基づいて色変換を行う請求項１から６のいずれか１項に記載の画像合成装置。
【請求項８】
顔画像は首を含み、画像合成により顔画像の首と服装画像の服装との間にすき間が生じた場合に、前記すき間を顔画像の色情報を用いて補完する請求項項１から７のいずれか１項に記載の画像合成装置。
【請求項９】
画像を合成する装置であって、顔の部分を合成に用いるために用意した顔画像と、服装部分を合成に用いるために用意した服装画像と、首の部分を合成に用いるために用意した首画像と、背景とするために用意した背景画像と、前記顔画像と前記服装画像と前記首画像と前記背景画像を合成するための条件となる合成情報を入力とし、前記合成情報にしたがって、前記顔画像と前記服装画像と前記首画像と前記背景画像を変換する画像変換部と、前記画像変換部によって変換された顔画像と服装画像と首画像と背景画像を、前記合成情報にしたがって合成する画像合成部を備えた画像合成装置。
【請求項１０】
合成情報として、顔画像と服装画像と首画像と背景画像の大きさ、前記各画像の合成に用いる領域の位置、前記各画像の合成に用いる領域ごとの基準となる色を指定し、画像変換部は、前記各画像の大きさ、色を変換し、画像合成部は、前記合成情報によって指定された位置にしたがって画像を合成することを特徴とする請求項９記載の画像合成装置。
【請求項１１】
各入力画像から合成情報を生成する合成情報生成部を具備した請求項１又は９記載の画像合成装置。
【手続補正２】
【補正対象書類名】明細書
【補正対象項目名】０００６
【補正方法】変更
【補正の内容】
【０００６】
【課題を解決するための手段】
この課題を解決するため、本発明は、画像を合成する装置であって、顔の部分を合成に用いるために用意した顔画像と、服装部分を合成に用いるために用意した服装画像と、背景とするために用意した背景画像と、前記顔画像と前記服装画像と前記背景画像とを合成するための条件となる合成情報とを入力とし、前記合成情報にしたがって、前記顔画像と前記服装画像と前記背景画像とを変換する画像変換部と、前記画像変換部によって変換された顔画像と服装画像と背景画像とを、前記合成情報にしたがって合成する画像合成部を備えた画像合成装置である。
【手続補正３】
【補正対象書類名】明細書
【補正対象項目名】０００７
【補正方法】変更
【補正の内容】
【０００７】
また、画像を合成する装置であって、顔の部分を合成に用いるために用意した顔画像と、服装部分を合成に用いるために用意した服装画像と、首の部分を合成に用いるために用意した首画像と、背景とするために用意した背景画像と、前記顔画像と前記服装画像と前記首画像と前記背景画像を合成するための条件となる合成情報を入力とし、前記合成情報にしたがって、前記顔画像と前記服装画像と前記首画像と前記背景画像を変換する画像変換部と、前記画像変換部によって変換された顔画像と服装画像と首画像と背景画像を、前記合成情報にしたがって合成する画像合成部を備えた画像合成装置である。
【手続補正４】
【補正対象書類名】明細書
【補正対象項目名】０００８
【補正方法】変更
【補正の内容】
【０００８】
【発明の実施の形態】
本発明の一実施形態は、画像を合成する装置であって、顔の部分を合成に用いるために用意した顔画像と、服装部分を合成に用いるために用意した服装画像と、背景とするために用意した背景画像と、前記顔画像と前記服装画像と前記背景画像とを合成するための条件となる合成情報とを入力とし、前記合成情報にしたがって、前記顔画像と前記服装画像と前記背景画像とを変換する画像変換部と、前記画像変換部によって変換された顔画像と服装画像と背景画像とを、前記合成情報にしたがって合成する画像合成部を備えた画像合成装置。
好ましくは、合成情報として、顔画像、服装画像、背景画像、合成した画像のそれぞれに対して基準となる２点を含み、画像変換部において、肖像画像の基準となる２点に、顔画像、服装画像、背景画像の基準となる２点が一致するように、顔画像、服装画像、背景画像を変換するものである。
好ましくは、合成情報として、服装画像に色変換の基準色を含み、前記画像変換部において、前記服装画像の合成に使う領域の全画素に対して前記色変換の基準色に基づいた色変換を行うものである。
好ましくは、合成情報として、顔画像と服装画像と背景画像の大きさ、前記各画像の合成に用いる領域の位置、前記各画像の合成に用いる領域ごとの基準となる色を指定し、画像変換部は、前記各画像の大きさ、色を変換し、画像合成部は、前記合成情報によって指定された位置にしたがって画像を合成するものである。
好ましくは、画像変換部において、合成に使う領域の全画素のＲＧＢの各成分の平均値が、色変換の基準色となるように色変換を行うものである。
好ましくは、画像変換部において、合成に使う領域の各画素の色相を色変換の基準色とし、前記合成に使う領域の全画素の明度、彩度の平均が、前記色変換の基準色の明度、彩度となるように色変換を行うものである。
好ましくは、服装画像は手又は足と服装とを含み、前記手又は足の色は、前記顔画像の色情報に基づいて色変換を行うものである。
好ましくは、顔画像は首を含み、画像合成により顔画像の首と服装画像の服装との間にすき間が生じた場合に、前記すき間を顔画像の色情報を用いて補完するものである。
また本発明の他の実施形態は、画像を合成する装置であって、顔の部分を合成に用いるために用意した顔画像と、服装部分を合成に用いるために用意した服装画像と、首の部分を合成に用いるために用意した首画像と、背景とするために用意した背景画像と、前記顔画像と前記服装画像と前記首画像と前記背景画像を合成するための条件となる合成情報を入力とし、前記合成情報にしたがって、前記顔画像と前記服装画像と前記首画像と前記背景画像を変換する画像変換部と、前記画像変換部によって変換された顔画像と服装画像と首画像と背景画像を、前記合成情報にしたがって合成する画像合成部を備えた画像合成装置である。
好ましくは、合成情報として、顔画像と服装画像と首画像と背景画像の大きさ、前記各画像の合成に用いる領域の位置、前記各画像の合成に用いる領域ごとの基準となる色を指定し、画像変換部は、前記各画像の大きさ、色を変換し、画像合成部は、前記合成情報によって指定された位置にしたがって画像を合成する。
好ましくは、各入力画像から合成情報を生成する合成情報生成部を具備する。
【手続補正５】
【補正対象書類名】明細書
【補正対象項目名】０００９
【補正方法】変更
【補正の内容】
【０００９】
以下、本発明の実施の形態について、図面を参照しながら説明する。
【手続補正６】
【補正対象書類名】明細書
【補正対象項目名】００６７
【補正方法】変更
【補正の内容】
【００６７】
【発明の効果】
以上のように、本発明によれば、自動あるいは単純な操作だけによって、違和感のない画像を得ることができる。
【手続補正７】
【補正対象書類名】明細書
【補正対象項目名】００６８
【補正方法】削除
【補正の内容】